(57)【要約】  コントローラ１は、光回路５を駆動するドライバ内の制御コンバータ３を制御するための周波数信号を生成する生成器２を制御する。前記コントローラは、光回路５からのフィードバック情報に応答して生成器２を制御するための制御信号を生成する第１の部分１１と、データ情報に応答して前記制御信号を適応化する第２の部分１２とを有する。前記データ情報は、光回路５により生成される光を符号化するための符号を有する。前記フィードバック情報は、光回路５を流れている又は光回路５の光強度を規定しているフィードバック信号の値を有することができる。前記制御信号は、前記周波数信号の周波数を規定することができる。第３の部分１３は、前記フィードバック信号の値及び前記周波数の対応する値により規定されるコンバータ・光回路の組合せの静的遷移を決定することができる。前記周波数の前記対応する値は第１の軸を形成することができ、前記フィードバック信号の前記値は第２の軸を形成することができる。第４の部分１４は、前記組合せのデフォルト遷移を規定することができる。コントローラ１は、自己学習コントローラであっても良い。
2016539482.tif 000002
【特許請求の範囲】
【請求項１】
光回路を駆動するためのドライバ内のコンバータを制御するための周波数信号を生成する生成器を制御するためのコントローラであって、
前記光回路からのフィードバック情報に応答して前記生成器を制御する制御信号を生成する第１の部分であって、前記フィードバック情報は前記光回路の少なくとも一部を流れる又は前記光回路の少なくとも一部の光強度を規定するフィードバック信号の値を有し、前記制御信号は前記周波数信号の周波数を規定している、第１の部分と、
前記光回路により生成される光を符号化するための符号を有する前記データ情報に応答して、前記制御信号を適応化する第２の部分と、
前記フィードバック信号の値及び前記周波数信号の前記周波数の対応する値により規定される前記コンバータ及び前記光回路の組合せの静的遷移を決定する第３の部分と、
を有する、コントローラ。
【請求項２】
前記第１の部分は、前記フィードバック信号の前記値を基準値と比較し、比較結果に応答して前記制御信号を適応化する、請求項１に記載のコントローラ。
【請求項３】
前記第２の部分は、前記静的遷移のおかげで前記データ情報に応答して前記制御信号を適応化する、請求項１に記載のコントローラ。
【請求項４】
前記周波数信号の前記周波数の対応する値は第１の軸上に位置されており、前記フィードバック信号の前記値は第２の軸上に位置されており、前記第３の部分は、前記フィードバック信号の値を実質的に等しい大きさの間隔に分割する、請求項１に記載のコントローラ。
【請求項５】
コンバータ及び前記光回路の前記組合せのデフォルト遷移を規定する第４の部分を更に有する、請求項１に記載のコントローラ。
【請求項６】
前記デフォルト遷移から開始し動作中の前記静的遷移を作る自己学習コントローラである、請求項５に記載のコントローラ。
【請求項７】
請求項１に記載のコントローラを有すると共に、前記生成器を更に有する、コンバータ。
【請求項８】
請求項７に記載のコンバータを有するドライバ。
【請求項９】
前記生成器は、様々な周波数を有する矩形波の形態において前記周波数信号を生成するアクチュエータを有する、請求項８に記載のドライバ。
【請求項１０】
前記コンバータは、前記光回路に向けられている出力電流信号を生成する共振コンバータを有する、請求項８に記載のドライバ。
【請求項１１】
入力電圧信号を受け取る及び前記共振コンバータに向けられている出力電圧信号を生成する力率補正コンバータを更に有する、請求項１０に記載のドライバ。
【請求項１２】
請求項１に記載のコントローラを有する、請求項７に記載のコンバータを有する、又は請求項８に記載のドライバを有する、光回路。
【請求項１３】
光回路を駆動するドライバ内のコンバータを制御するための周波数信号を生成する生成器を制御する方法であって、
前記光回路からのフィードバック情報に応答して前記生成器を制御する制御信号を生成する第１のステップであって、前記フィードバック情報は前記光回路の少なくとも一部を流れる又は前記光回路の少なくとも一部の光強度を規定するフィードバック信号の値を有し、前記制御信号は前記周波数信号の周波数を規定している、第１のステップと、
前記光回路により生成される光を符号化するための符号を有しているデータ情報に応答して前記制御信号を適応化する第２のステップと、
前記フィードバック信号の値及び前記周波数信号の周波数の対応する値により規定される前記コンバータ及び前記光回路の組合せの静的遷移を決定する第３ステップと、
を有する方法。
【請求項１４】
コンピュータ上で動作された場合、請求項１３に記載の方法のステップを実行するためのコンピュータ・プログラム。
【請求項１５】
請求項１４に記載のコンピュータ・プログラムを記憶する及び有している媒体。
【発明の詳細な説明】
【技術分野】
【０００１】
本発明は、光回路を駆動するドライバ内のコンバータを制御するための周波数信号を生成するように配された生成器を制御するコントローラに関する。本発明は、更に、前記コントローラを有するコンバータ、前記コンバータを有するドライバ、前記コントローラ、前記コンバータ又は前記ドライバを有する光回路、光回路を駆動するドライバ内のコンバータを制御するための周波数信号を生成する生成器を制御する方法、コンピュータ・プログラム、並びに媒体に関する。
【０００２】
このようなコンバータの例は、共振コンバータである。このような光回路の例は、如何なる種類の及び如何なる組合せの１つ以上の発光ダイオードも有している回路である。
【背景技術】
【０００３】
光回路を駆動するドライバ内のコンバータを制御するための周波数信号を生成する生成器を制御するコントローラは、共通の一般的な知識である。前記生成器は、前記光回路からの光強度を調整するために及び／又は前記光強度の変動を補償するために前記光回路からフィードバック情報に応答して制御される。
【発明の概要】
【発明が解決しようとする課題】
【０００４】
ときどき前記光回路からの前記光の前記光強度は、情報目的のために及び／又は通信目的のために符号化されることを必要とする。このことは、前記フィードバック情報を操作することによって行われることができる。この場合、前記コントローラは、比較的大きい処理容量を有することを必要とする。
【０００５】
米国特許出願公開第２０１０／０３２７７５５号は、色制御ユニットを備える並びに外部変調器及び外部復調器を備えるカラー制御光源を開示している。
【０００６】
本発明の目的は、改善されたコントローラを提供することにある。本発明の更なる目的は、コンバータ、ドライバ、光回路、改善された方法、コンピュータ・プログラム及び媒体を提供することにある。
【課題を解決するための手段】
【０００７】
第１の見地によれば、光回路を駆動するドライバ内のコンバータを制御するための周波数信号を生成するように配された生成器を制御するコントローラであって、
前記光回路からのフィードバック情報に応答して前記生成器を制御する制御信号を生成する第１の部分であって、前記フィードバック情報は、前記光回路の少なくとも一部を流れる又は前記光回路の少なくとも一部の光強度を規定するフィードバック信号の値と前記周波数信号の周波数を規定している前記制御信号とを有する、第１の部分と、
前記光回路により生成される光を符号化するための符号を有するデータ情報に応答して前記制御信号を適応化させる第２の部分と、
前記フィードバック信号の値及び前記周波数信号の前記周波数の対応する値により規定される 前記コンバータ及び前記光回路の組合せの静的遷移（static transfer）を決定する第３の部分と、
を有する。
【０００８】
コントローラは、アクチュエータ等のような生成器を制御する。前記アクチュエータは、様々な周波数を有する矩形波等のような周波数信号を生成する。前記周波数信号は、例えば、共振コンバータ等（例えば、ＬＬＣコンバータ、ＬＣＬコンバータ又はＣＬＣコンバータ）のようなコンバータを制御する。前記コンバータは、光回路に給電するための給電信号を生成する。前記給電信号は、前記周波数信号に依存する。前記コントローラの第１の部分は、前記光回路からフィードバック情報を受け取って、前記生成器（によって生成される前記周波数信号）を制御するための制御信号を生成する。このことは、例えば、前記光回路からの前記光の光強度を調整する及び／又は前記光強度の変動を補償するためになされる。
【０００９】
前記コントローラの第２の部分は、前記光回路により生成される光の符号化のための符号を有するデータ情報に応答して前記制御信号を適応化する。前記第２の部分を導入したことによって、前記フィードバック情報は調整及び／又は補償のために使用されるのみであり、前記制御信号は情報及び／又は通信のために適応化される。結果として、前記コントローラは、もはや比較的大きい処理容量を有する必要がない。このことは、大きな効果及び大きな改善である。
【００１０】
前記コントローラの前記第１の部分は、専用のハードウェア部又はプログラム可能なハードウェア部等のようなハードウェア部であることができ、ソフトウェア部であることができ、又は両方が混ざり合ったものであることもできる。前記コントローラの前記第２の部分は、専用のハードウェア部又はプログラム可能なハードウェア部等のようなハードウェア部であることができ、ソフトウェア部であることができ、又は両方が混ざり合ったものであることもできる。前記コントローラの前記第１の部分及び前記第２の部分は、別個の部分であることができ、部分的に重複する部分であるができ、又は同じ部分であっても良い。
【００１１】
前記コンバータによって生成される前記給電信号は、好ましくは、前記光回路を給電するための前記光回路の少なくとも一部を通って流れる電流信号である。この電流信号は、フィードバック信号として使用されることができる。代替的には、前記光回路の少なくとも一部の光強度を規定している電流信号又は電圧信号は、フィードバック信号として使用されることができる。前記制御信号は、好ましくは、前記周波数信号の周波数を規定することができ、これにより、例えば、前記周波数信号のより高い（より低い）周波数は、結果として前記給電信号のより小さい（より大きい）振幅をもたらす。
【００１２】
前記コントローラの第３の部分は、前記コンバータ及び前記光回路の組合せの静的遷移を決定することができる。前記静的遷移は、前記フィードバック信号の必要な値のために、結果として前記必要な値を得る前記フィードバック信号をもたらす前記周波数信号の前記周波数の対応する値を供給する。
【００１３】
前記コントローラの前記第３の部分は、専用のハードウェア部又はプログラム可能なハードウェア部等のようなハードウェア部であっても良く、ソフトウェア部であっても良く又は両方が混ざり合ったものであっても良い。前記コントローラの前記第１の部分、前記第２の部分及び前記第３の部分は、分離された部分であっても良く、部分的に重複している部分であっても良く、又は同じ部分であっても良い。
【００１４】
前記コントローラの実施例は、前記フィードバック信号の前記値を基準値と比較する及び比較結果に応答して前記制御信号を適応化する前記第１の部分により規定される。少なくとも前記光回路の一部を流れている前記電流信号の形態における前記フィードバック信号の値は、基準（電流）値と直接的に比較されることもでき、又は前記電流信号から得られる電圧信号の値を基準（電圧）値と比較することによって間接的に比較されることもできる。同様に、前記光回路の少なくとも一部の光強度を規定している前記電流信号又は前記電圧信号の形の前記フィードバック信号の前記値は、直接又は間接的に基準値等と比較されることができる。比較結果に応答して、前記制御信号は適応化されるべきである。このことは、前記アナログ領域において又は前記デジタル領域においてなされることができる。前記第１の部分は、前記静的遷移のおかげで記制御信号を適応化することができる。
【００１５】
前記コントローラの実施例は、前記静的遷移のおかげで前記データ情報に応答して前記制御信号を適応化する前記第２の部分により規定される。前記データ情報は、前記光強度が変化されるべきであるときを規定する。変調深度は、前記光強度がどれだけ変化されるべきであるかを規定する。前記変調深度は、通常、前記コントローラに予め記憶される。前記静的遷移は、前記電流信号の必要な値のために、結果として前記必要な値を得る前記電流信号をもたらす前記周波数信号の前記周波数の対応する値を供給する。従って、前記静的遷移は、前記制御信号を適応化するためのベースとして非常に適切である。
【００１６】
前記コントローラの実施例は、第１の軸上に位置されている前記周波数信号の前記周波数の前記対応する値により規定され、前記フィードバック信号の前記値は第２の軸上に位置されており、前記第３の部分は、前記フィードバック信号の前記値を実質的に等しい大きさの間隔に分割する。第１の軸は、例えばｘ軸であっても良く、第２の軸は例えばｙ軸であっても良い。実質的に等しい大きさは、多くても１０％、好ましくは多くても５％、最も好ましくは多くても１％の変化を許容する。
【００１７】
前記コントローラの実施例は、前記コンバータ及び前記光回路の前記組合せのデフォルト遷移を規定する第４の部分を更に有することにより規定される。デフォルト遷移は、前記コントローラが（完全な）静的遷移が存在しなくても開始されることを可能にする。
【００１８】
前記コントローラの前記第４の部分は、専用のハードウェア部若しくはプログラム可能なハードウェア部等のようなハードウェア部、ソフトウェア部、又は両方が混ざり合ったものであっても良い。前記コントローラの前記第１の部分、前記第２の部分、前記第３の部分及び前記第４の部分は、分離された部分であっても良く、又は部分的に重複している部分であっても良く、又は同じ部分であっても良い。
【００１９】
前記コントローラの実施例は、前記デフォルト遷移から開始し、動作中の前記静的遷移を生成する自己学習コントローラである前記コントローラにより規定される。自己学習コントローラは、異なる光回路に対して及び異なる環境において何度も使用されることができる。
【００２０】
第２の見地によれば、上述で規定された及び前記生成器を更に有する前記コントローラを有するコンバータが、提供される。
【００２１】
第３の見地によれば、上述した前記コンバータを有するドライバが提供される。
【００２２】
前記ドライバの実施例は、様々な周波数を有する矩形波の形態において前記周波数信号を生成するためのアクチュエータを有する前記生成器により規定される。
【００２３】
前記ドライバの実施例は、前記光回路に向けられている出力電流信号を生成するための共振コンバータを有する前記コンバータにより規定される。
【００２４】
前記ドライバの実施例は、入力電圧信号を受け取る及び前記共振コンバータに向けられている出力電圧信号を生成する力率補正コンバータを更に有することにより規定される。
【００２５】
第４の見地によれば、上述で規定された前記コントローラを有する、上述で規定された前記コンバータを有する又は上述で規定された前記ドライバを有する光回路が、提供される。
【００２６】
第５の見地によれば、光回路を駆動するドライバ内のコンバータを制御するための周波数信号を生成する生成器を制御する方法であって、
前記光回路からのフィードバック情報に応答して前記生成器を制御する制御信号を生成する第１のステップであって、前記フィードバック情報は前記光回路の少なくとも一部を流れる又は前記光回路の少なくとも一部の光強度を規定するフィードバック信号の値を有し、前記制御信号は前記周波数信号の周波数を規定している、第１のステップと、
前記光回路により生成される光を符号化するための符号を有するデータ情報に応答して前記制御信号を適応化する第２のステップと、
前記フィードバック信号の値及び前記周波数信号の周波数の対応する値により規定される前記コンバータ及び前記光回路の組合せの静的遷移を決定する第３ステップと、
を有する方法が規定される。
【００２７】
第６の見地によれば、コンピュータ・プログラムが、上述で規定された方法のステップを実行するために提供される。
【００２８】
第７の見地によれば、上述で規定されたコンピュータ・プログラムを記憶している及び有している媒体が、提供される。
【００２９】
洞察は、フィードバック情報及びフィードフォワード情報が組み合わせられるべきではないということにある。基本的な着想は、フィードバック情報が制御信号に変換されるべきであり、フィードフォワード情報が前記制御信号を適応化するのに使用されるべきであるということにある。
【００３０】
改善されたコントローラを提供するための問題が、解決された。更なる効果は、コンバータ及び光回路の組合せの周波数信号‐給電信号‐性能の非線形性が容易に中和されることができることにある。
【００３１】
本発明のこれら及び他の見地は、以下に記載されている実施例を参照して明らかになり説明されるであろう。
【図面の簡単な説明】
【００３２】
【図１】光回路を駆動するドライバ内のコンバータを制御するための周波数信号を生成する生成器を制御するコントローラの実施例を示している。
【図２】基準静的遷移、測定された実験的な静的遷移、及びデフォルト遷移を示している。
【図３】実験的な静的遷移の部分を示している。
【発明を実施するための形態】
【００３３】
図１には、光回路５を駆動するドライバ内のコンバータ３を制御するための周波数信号を生成する生成器２を制御するコントローラ１の実施例が示されている。様々な周波数を有する矩形波の形態における周波数信号を生成する、例えば、アクチュエータ等のような生成器２の入力は、コントローラ１の出力１９に結合される。生成器２の出力は、スイッチング回路３１（例えば、ハーフブリッジ又はフルブリッジ等）の制御入力に結合される。スイッチング回路３１の入力は、任意の力率修正コンバータ４の出力に結合される。任意の力率補正コンバータ４の入力は、例えば、本線供給に結合されることができる。切換回路３１の出力は、例えば、ＬＬＣ回路、ＬＣＬ回路又はＣＬＣ回路等のような、共振回路３２の入力に結合されている。共振回路３２の出力は、例えば、如何なる種類の及び如何なる組合せもの１つ以上の発光ダイオードも有する光回路５の入力に結合される。切換回路３１及び共振回路３２は、一緒に、例えば共振コンバータ３等のようなコンバータ３を形成する。
【００３４】
コントローラ１の入力１６は、例えば、光回路５の少なくとも一部を流れる電流信号のようなフィードバック信号の値のような、光回路５からのフィードバック情報を受け取る。このような電流信号は全ての光回路５を流れることができる、又は光回路の２つの並列な部分のうちの一方を流れ、次いで、更に２を乗算されることができる（両方の部分が類似の部分である場合）、又は光回路５の３つの並列な部分のうちの１つを通って流れることができ、次いで３を乗算されることができる（３つの部分が類似の部分である場合）。代替的には、前記フィードバック情報は、光回路５の少なくとも一部等の光強度を規定しているフィードバック信号の値を有することができる。コントローラの入力１７は、光回路５により生成される光を符号化するための符号を有しているデータ情報を受け取る。コントローラ１の入力１８は、例えば、ユーザにより選択されるような光回路５により生成される前記光の光強度を規定する基準電流値又は基準電圧値等のような基準値等のような、ユーザ情報を受け取る。
【００３５】
コントローラは、入力１６―１８、出力１９、プロセッサ１０及び第１乃至第４の部分１１―１４をインターフェースするプロセッサ１０に結合されていると共にプロセッサ１０により制御されているインターフェース１５を有する。第１乃至第４の部分１１―１４は、プロセッサ１０によっても制御される。前記コントローラ１の第１の部分１１は、入力１６を介して到達する光回路５からのフィードバック情報に応答して、生成器２を制御するための制御信号を生成する。この制御信号は、例えば、生成器２により生成され切換回路３１に向けられる前記周波数信号の周波数を規定する。コントローラ１の第２の部分１２は、入力１７を介して到達した前記データ情報に応答して制御信号を適応化する。
【００３６】
コントローラ１の第３の部分１３は、前記フィードバック信号の値及び前記周波数信号の周波数の対応する値により規定されるコンバータ３及び光回路５の組合せの静的遷移を決定する。これに対して、第３の部分１３は、例えば、前記フィードバック信号の各決定された値が前記周波数信号の周波数の対応する値にリンクされるテーブルを作る。通常、前記周波数信号の周波数のより大きい（より小さい）値は、結果として、前記電流信号のより小さい（より大きい）値になる。
【００３７】
好ましくは、第１の部分１１は、フィードバック信号の値を、入力１８を経て到達した基準値と比較し、比較結果に応答して前記制御信号を適応化することができる。前記フィードバック信号の値が基準値よりも小さい（大きい）場合、前記周波数信号の周波数は減少され（増大され）なければならない。この方法によって、光回路５からの光強度が調整されることができる及び／又は前記光強度の変動が補償されることができる。
【００３８】
好ましくは、第２の部分１２は、前記静的遷移のおかげで入力１７を介して到着したデータ情報に応答して前記制御信号を適応化することができる。これに対して、例えば、前記フィードバック信号の値において表されるような前記光の所与の光強度に関して、前記データ情報はこの光強度が増大されるべきであるか又は減少されるべきであるかを規定する。変調深度は、前記光強度がどれくらい増大される又は減少されるべきであるかを規定する。第２の部分１２は、前記変調深度を実現するためにどれくらい前記周波数信号の周波数が増大されるべきか又は減少されるべきかを第３の部分１３を介して参照する又は第３の部分１３に要請することができる。
【００３９】
コントローラ１の第４の部分１４は、コンバータ３及び光回路５の組合せのデフォルト遷移を規定する。デフォルト遷移によって、コントローラ１が（完全な）静的遷移が存在しなくても開始されることが可能になる。好ましくは、コントローラ１は、デフォルト遷移によって開始し動作中の前記静的遷移を作成する自己学習コントローラである。自動学習コントローラは、異なる負荷のために及び／又は異なる環境において使用されることができる。
【００４０】
好ましくは、前記周波数信号の前記周波数の対応する値は、例えばｘ軸のような第１の軸を形成し、前記フィードバック信号の値は、例えばｙ軸のような第２の軸を形成し、第３の部分１３は、前記フィードバック信号の値を実質的に等しい間隔に分割するように配される。例えば、ｘ％の変調深度において、前記フィードバック信号の値を１００／ｘ間隔に分割することが便利である（１０％の変調深度→１０個の間隔、５％の変調深度→２０個の間隔）又はこれらの複数（１０％の変調深度→１０・ｙ個の間隔、５％の変調深度→２０・ｙ個の間隔、ｙ＝１、２、３等）。この場合、前記光の符号化は、１個の間隔又はｙ個の間隔をずらし前記周波数信号の対応する周波数を参照することと、一致する。
【００４１】
図２には、基準静的遷移Ａ及び実験的な静的遷移Ｂ及びデフォルト遷移Ｃが示されている。遷移Ａ、Ｂ及びＣの各々は、ｋＨｚ（１０１―１１６ｋＨｚ）のｘ軸における周波数信号の周波数の値と、前記フィードバックの前記値は、ｍＡ（０―８００ｍＡ）のｙ軸における（ここでは光回路５の少なくとも一部を流れている電流信号の形態における）フィードバック信号の値とを結んでいる。基準静的遷移Ａは、例えば、開ループの状況における静的遷移である。開ループの状況においては、フィードバックがなく、コントローラ１は如何なる影響を有さない。実験的な静的遷移Ｂは、例えば、実験的に決定された静的遷移である。光回路５を流れる電流信号が或る値に到達した場合、コントローラ１の保護メカニズムがアクティブになるという事実のために、実験的な静的遷移Ｂは基準静的遷移Ａと異なる。デフォルト遷移Ｃは、例えば、コントローラ１が（完全な）静的遷移が存在することなしに開始されることができるのを可能にする（第４の部分１４によって）予め規定された遷移である。デフォルト遷移Ｃは、コントローラ１を異なる負荷に及び／又は異なる環境に適応化する適応可能なデフォルト遷移であっても良い。
【００４２】
明らかに、静的遷移Ａ及びＢは線形ではない。ｋＨｚにおけるｆ及びｍＡにおけるＩにより規定される異なる動作点において、固定された周波数ステップΔｆは、結果として異なる電流ステップΔＩになる。しかしながら、符号化光は、所与の変調深度に対して、ΔＩが周波数範囲全体にわたって比較的一定であることを必要とする。これに対して、各動作点において、周波数ステップΔｆ又は新しい周波数ｆは、静的遷移のおかげでΔＩが他の動作点において比較的同じ値を有するように決定されるべきである。これに対して、動作点ごとに周波数ステップΔｆ又は新しい周波数ｆが、Ｉの所与の値に関して、固定された数の間隔を大きくする又は小さくする並びに新しい周波数ｆを参照することにより発見されるように、第３の部分１３にフィードバック信号の値を実質的に等しい大きさの間隔に分割させることも興味深いものであり得る。好ましくは、ｘを％における変調深度としてｙ・１００／ｘに等しい間隔の数を選択することによって、固定された数の間隔は、ｙ個の間隔に等しい（ここで、ｙ＝１、２、３等）。動作点は、間隔の境界線間に位置されることができ、この場合、前記動作点の最も近くに位置さている境界線は、ｙ個の間隔等を大きくする又は小さくするための始点として選択されることができる。ｙに関するより大きい値は、結果として、コントローラリソースの増大された精密さ及び増大された使用をもたらす。
【００４３】
図３において、実験的な静的遷移の一部が示されている。コンバータ３及び光回路５の組合せは、動作点Ｋにおいて有効である。データ情報を介して、要求は、光回路５の光強度において正のパルスを作るための要求が到着する。動作点Ｋを有する間隔ΔＩの最も近い境界線Ｌが、決定される。この境界線Ｌは、電流値Ｍに一致している。この例示的な場合（ｙ＝２）において正のパルスを得るために、値Ｍは、ｙ＝２の間隔だけ増大されるべきであり、結果として電流値Ｎとなる、電流値Ｎは、境界線Ｏと一致し、周波数値Ｐと一致している。それで、光回路５の光強度の正のパルスを実現するために、前記周波数は、動作点Ｋと一致する周波数値Ｑから周波数値Ｐまで（すぐに）減少されるべきである。実質的に等しい大きさの間隔ΔＩを導入したことによって、必要な処理容量が、かなり縮小される。
【００４４】
ドライバは、例えば、光回路５に給電する、生成器２を含む又は除外する、並びにコントローラ１を含む又は除外するための出力電流信号又は給電信号を生成する共振コンバータ３を有することができ、又は入力電圧信号を受け取る及び共振コンバータ３に向けられている出力電圧信号を生成する力率補正コンバータ４をオプションで更に有することができる。
【００４５】
他の種類のコンバータ３及び４も除外されるべきではない。生成器２は、コントローラ１又はコンバータ３の一部を代替的に形成することができる。第１乃至第４の部分１１―１４はプロセッサ１０の一部を代替に形成することもでき、又はプロセッサ１０は第１乃至第４の部分１１―１４の１つ以上のものの一部を代替的に形成することもできる。必要とされない場合（例えば、プロセッサ１０及び／又は第１乃至第４の部分１１―１４が入力１６―１８及び出力１９と直接的に通信することができる場合）インターフェース１５は省略されることができる。インターフェース１５は、プロセッサ１０及び／又は第１乃至第４の部分１１―１４の一部を代替的に形成することができる。前記制御信号は、直接的な関係を介して直接的に又は変換を介して間接的に周波数信号の周波数を規定することができる。両方の定義は、アナログ領域又はデジタル領域において生じ得る。プロセッサ１０は、例えば１ｋＨｚ又は６ｋＨｚのクロック・スピードにおいて動作し、前記符号は、他のクロック・スピード及び他のシンボル速度を除外することなく、２４００Ｂａｕｄ又は４０００Ｂａｕｄのシンボル速度を有することができる。前記光がフィードバック情報を操作することによって符号化されるべきである場合、前記クロック・スピードは、有利にはより高く選択されることを必要とする。前記光が前記制御信号を操作することによって符号化されるという事実の結果として、前記クロック・スピードは有利には低く留まることができ、このことはもう１つの大きな利点である。
【００４６】
要約すると、コントローラ１は、光回路５を駆動するドライバ内のコンバータ３を制御するための周波数信号を生成する生成器２を制御する。コントローラは、光回路からのフィードバック情報に応答して、生成器２を制御するための制御信号を生成する第１の部分１１と、データ情報に応答して制御信号を調整する第２の部分１２とを有する。前記データ情報は、光回路５により生成される符号化光のための符号を有する。前記フィードバック情報は、光回路５を流れる又は光回路５の光強度を規定するフィードバック信号の値を有することができる。前記制御信号は、前記周波数信号の周波数を規定することができる。第３の部分１３は、フィードバック信号の値及び前記周波数の対応する値により規定されるコンバータ光回路の組合せの静的遷移を決定することができる。前記周波数の対応する値は第１の軸を形成することができ、前記フィードバック信号の値は第２の軸を形成することができる。第４の部分１４は、前記組合せのデフォルト遷移を規定することができる。コントローラ１は、自己学習コントローラであり得る。
【００４７】
本発明は、添付図面及び上述の記載において説明され詳述されたが、このような説明及び記載は、説明的なもの又は例示的なものとみなされるべきであり制限的なものとみなされるべきではない。本発明は、開示されている実施例に限定されるものではない。
開示されている前記実施例に対する他の変化は、前記添付図面、本明細書及び添付請求項の熟慮により、添付請求項に記載の本発明を実施する際に当業者により理解され、行われることができる。添付の請求項において、「有する」なる語は他の要素又はステップを排除するものではなく、単数形は複数形を排除するものではない。特定の手段が、相互に異なる従属請求項において引用されているという単なる事実は、これらの手段の組み合わせが有利になるように使用されることができないと示すものではない。添付請求項における如何なる符号も、この範囲を制限するものとしてみなしてはならない。
【図１】
2016539482.tif 000003
【図２】
2016539482.tif 000004
【図３】
2016539482.tif 000005
【国際調査報告】
2016539482.tif 000006
2016539482.tif 000007
2016539482.tif 000008